(57)【特許請求の範囲】
【請求項１】
無線基地局が、複数の移動局に対して、報知チャネルを介して、変更期間内において複数種類のシステム情報を繰り返し送信し、かつ、該変更期間に関係なく所定トリガを通知するように構成されている移動通信システムにおいて、該移動局において緊急情報を受信する緊急情報受信方法であって、
前記移動局が、所定トリガを検出した場合に、次の変更期間が開始するのを待つことなく、現在の変更期間において、前記複数種類のシステム情報の１つであるスケジューリング情報通知用システム情報を受信する工程Ａと、
前記移動局が、受信した前記スケジューリング情報通知用システム情報によって通知されたスケジューリング情報に基づいて、緊急情報通知用システム情報を受信する工程Ｂとを有することを特徴とする緊急情報受信方法。
【請求項２】
前記移動局が、受信した前記緊急情報通知用システム情報によって通知された緊急情報に対応する処理を行う工程Ｃを更に有することを特徴とする請求項１に記載の緊急情報受信方法。
【請求項３】
無線基地局が、複数の移動局に対して、報知チャネルを介して、変更期間内において複数種類のシステム情報を繰り返し送信し、かつ、該変更期間に関係なく所定トリガを通知するように構成されている移動通信システムにおいて、緊急情報を受信するように構成されている移動局であって、
所定トリガを検出した場合に、次の変更期間が開始するのを待つことなく、現在の変更期間において、スケジューリング情報通知用システム情報を受信するように構成されているスケジューリング情報通知用システム情報受信部と、
受信した前記スケジューリング情報通知用システム情報によって通知されたスケジューリング情報に基づいて、緊急情報通知用システム情報を受信するように構成されている緊急情報通知用システム情報受信部とを具備することを特徴とする移動局。
【請求項４】
受信した前記緊急情報通知用システム情報によって通知された緊急情報に対応する処理を行うように構成されている処理部を更に具備することを特徴とする請求項３に記載の移動局。
【請求項５】
前記緊急情報通知用システム情報受信部は、前記緊急情報通知用システム情報以外のスケジューリング情報を受信しないように構成されていることを特徴とする請求項３に記載の移動局。
【請求項６】
前記移動局が、待ち受け状態若しくは通信状態である場合には、前記スケジューリング情報通知用システム情報受信部は、前記所定トリガとして、ページングメッセージに含まれている所定インディケータを検出した場合に、次の変更期間が開始するのを待つことなく、現在の変更期間において、前記スケジューリング情報通知用システム情報を受信するように構成されていることを特徴とする請求項３に記載の移動局。
【請求項７】
前記移動局が、待ち受け状態若しくは通信状態である場合には、前記スケジューリング情報通知用システム情報受信部は、前記所定トリガとして、ページング識別子を含む物理下り制御チャネルを介して所定インディケータを受信した場合に、次の変更期間が開始するのを待つことなく、現在の変更期間において、前記スケジューリング情報通知用システム情報を受信するように構成されていることを特徴とする請求項３に記載の移動局。
【請求項８】
前記スケジューリング情報通知用システム情報受信部は、前記所定トリガとして、所定識別子を含む物理下り制御チャネルを介して所定インディケータを受信した場合に、次の変更期間が開始するのを待つことなく、現在の変更期間において、前記スケジューリング情報通知用システム情報を受信するように構成されていることを特徴とする請求項３に記載の移動局。
【請求項９】
無線基地局が、複数の移動局に対して、報知チャネルを介して、変更期間内において複数種類のシステム情報を繰り返し送信し、かつ、該変更期間に関係なく所定トリガを通知するように構成されている移動通信システムにおいて、緊急情報を送信するように構成されている無線基地局であって、
前記緊急情報の発生を検知した場合に、前記複数の移動局に対して、所定トリガを通知すると共に、次の変更期間が開始するのを待つことなく、現在の変更期間において、緊急情報通知用システム情報を送信するための下りリソースを指定するスケジューリング情報を通知するためのスケジューリング情報通知用システム情報を送信するように構成されているスケジューリング情報通知用システム情報送信部と、
前記スケジューリング情報によって指定された下りリソースを用いて、緊急情報通知用システム情報を送信するように構成されている緊急情報通知用システム情報送信部とを具備することを特徴とする無線基地局。
【請求項１０】
待ち受け状態若しくは通信状態である前記移動局に対しては、前記スケジューリング情報通知用システム情報送信部は、前記所定トリガとして、ページングメッセージ内で所定インディケータを送信するように構成されていることを特徴とする請求項９に記載の無線基地局。
【請求項１１】
待ち受け状態若しくは通信状態である前記移動局に対しては、前記スケジューリング情報通知用システム情報送信部は、前記所定トリガとして、ページング識別子を含む下り物理チャネルを介して所定インディケータを送信するように構成されていることを特徴とする請求項９に記載の無線基地局。
【請求項１２】
前記スケジューリング情報通知用システム情報送信部は、前記所定トリガとして、所定識別子を含む物理下り制御チャネルを介して所定インディケータを送信するように構成されていることを特徴とする請求項９に記載の無線基地局。
【発明の詳細な説明】
【技術分野】
【０００１】
本発明は、無線基地局が複数の移動局に対して報知チャネルを介して変更期間内において複数種類のシステム情報を繰り返し送信するように構成されている移動通信システムにおいて緊急情報を送信する緊急情報通知方法、移動局及び無線基地局に関する。
【背景技術】
【０００２】
従来、複数の移動局に対して緊急情報を送信するためのシステムとして、「ＥＴＷＳ（Ｅａｒｔｈｑｕａｋｅ  Ｔｕｎａｍｉ  Ｗａｒｎｉｎｇ  Ｓｙｓｔｅｍ）」や「ＰＷＳ（Ｐｕｂｌｉｃ  Ｗａｒｎｉｎｇ  Ｓｙｓｔｅｍ）」等が知られている。
【０００３】
かかる「ＥＴＷＳ/ＰＷＳ」において、報知チャネル（ＢＣＣＨ：Ｂｒｏａｄｃａｓｔ  Ｃｏｎｔｒｏｌ  Ｃｈａｎｎｅｌ）上のＳＩＢ（Ｓｙｓｔｅｍ  Ｉｎｆｏｒｍａｔｉｏｎ  Ｂｌｏｃｋ）を用いて、複数の移動局に対して、緊急情報を送信することが検討されている。
【非特許文献１】３ＧＰＰ  ＴＳ２３.２７２  Ｖ１.０.０、２００８年３月
【発明の開示】
【発明が解決しようとする課題】
【０００４】
しかしながら、従来の「ＥＴＷＳ/ＰＷＳ」では、無線基地局が、変更期間（ＭＰ：Ｍｏｄｉｆｉｃａｔｉｏｎ  Ｐｅｒｉｏｄ）内において、複数種類のシステム情報（ＳＩＢ１-８）を繰り返し送信するように構成されているため、無線基地局は、緊急情報の発生を検知した場合であっても、現在の変更期間ＭＰ（ｎ）では、かかる緊急情報を通知することができず、次の変更期間ＭＰ（ｎ＋１）が開始するまで、かかる緊急情報を送信することができないという問題点があった。
【０００５】
そこで、本発明は、上述の課題に鑑みてなされたものであり、緊急情報の発生を検知した場合に、できるだけ早く複数の移動局に対して送信することができる緊急情報通知方法、移動局及び無線基地局を提供することを目的とする。
【課題を解決するための手段】
【０００６】
本発明の第１の特徴は、無線基地局が、複数の移動局に対して、報知チャネルを介して、変更期間内において複数種類のシステム情報を繰り返し送信するように構成されている移動通信システムにおいて、緊急情報を通知する緊急情報通知方法であって、前記移動局が、所定トリガを検出した場合に、次の変更期間が開始するのを待つことなく、現在の変更期間において、スケジューリング情報通知用システム情報を受信する工程Ａと、前記移動局が、受信した前記スケジューリング情報通知用システム情報によって通知されたスケジューリング情報に基づいて、緊急情報通知用システム情報を受信する工程Ｂと、前記移動局が、受信した前記緊急情報通知用システム情報によって通知された緊急情報に対応する処理を行う工程Ｃとを有することを要旨とする。
【０００７】
本発明の第２の特徴は、無線基地局が、複数の移動局に対して、報知チャネルを介して、変更期間内において複数種類のシステム情報を繰り返し送信するように構成されている移動通信システムにおいて、緊急情報を受信するように構成されている移動局であって、所定トリガを検出した場合に、次の変更期間が開始するのを待つことなく、現在の変更期間において、スケジューリング情報通知用システム情報を受信するように構成されているスケジューリング情報通知用システム情報受信部と、受信した前記スケジューリング情報通知用システム情報によって通知されたスケジューリング情報に基づいて、緊急情報通知用システム情報を受信するように構成されている緊急情報通知用システム情報受信部と、受信した前記緊急情報通知用システム情報によって通知された緊急情報に対応する処理を行うように構成されている処理部とを具備することを要旨とする。
【０００８】
本発明の第２の特徴において、前記緊急情報通知用システム情報受信部は、前記緊急情報通知用システム情報以外のスケジューリング情報を受信しないように構成されていてもよい。
【０００９】
本発明の第２の特徴において、前記移動局が、待ち受け状態若しくは通信状態である場合には、前記スケジューリング情報通知用システム情報受信部は、前記所定トリガとして、ページングメッセージに含まれている所定インディケータを検出した場合に、次の変更期間が開始するのを待つことなく、現在の変更期間において、前記スケジューリング情報通知用システム情報を受信するように構成されていてもよい。
【００１０】
本発明の第２の特徴において、前記移動局が、待ち受け状態若しくは通信状態である場合には、前記スケジューリング情報通知用システム情報受信部は、前記所定トリガとして、ページング識別子を含む物理下り制御チャネルを介して所定インディケータを検出した場合に、次の変更期間が開始するのを待つことなく、現在の変更期間において、前記スケジューリング情報通知用システム情報を受信するように構成されていてもよい。
【００１１】
本発明の第２の特徴において、前記スケジューリング情報通知用システム情報受信部は、前記所定トリガとして、所定識別子を含む物理下り制御チャネルを介して所定インディケータを受信した場合に、次の変更期間が開始するのを待つことなく、現在の変更期間において、前記スケジューリング情報通知用システム情報を受信するように構成されていてもよい。
【００１２】
本発明の第３の特徴は、無線基地局が、複数の移動局に対して、報知チャネルを介して、変更期間内において複数種類のシステム情報を繰り返し送信するように構成されている移動通信システムにおいて、緊急情報を送信するように構成されている無線基地局であって、前記緊急情報の発生を検知した場合に、前記複数の移動局に対して、所定トリガを通知すると共に、次の変更期間が開始するのを待つことなく、現在の変更期間において、緊急情報通知用システム情報を送信するための下りリソースを指定するスケジューリング情報を通知するためのスケジューリング情報通知用システム情報を送信するように構成されているスケジューリング情報通知用システム情報送信部と、前記スケジューリング情報によって指定される下りリソースを用いて、緊急情報通知用システム情報を送信するように構成されている緊急情報通知用システム情報送信部とを具備することを要旨とする。
【００１３】
本発明の第３の特徴において、待ち受け状態若しくは通信状態である前記移動局に対しては、前記スケジューリング情報通知用システム情報送信部は、前記所定トリガとして、ページングメッセージ内で所定インディケータを送信するように構成されていてもよい。
【００１４】
本発明の第３の特徴において、待ち受け状態若しくは通信状態である前記移動局に対しては、前記スケジューリング情報通知用システム情報送信部は、前記所定トリガとして、所定識別子を含む物理下り制御チャネルを介して所定インディケータを送信するように構成されていてもよい。
【００１５】
本発明の第３の特徴において、前記スケジューリング情報通知用システム情報送信部は、前記所定トリガとして、所定識別子を含む物理下り制御チャネルを介して所定インディケータを送信するように構成されていてもよい。
【発明の効果】
【００１６】
以上説明したように、本発明によれば、緊急情報の発生を検知した場合に、できるだけ早く複数の移動局に対して送信することができる緊急情報通知方法、移動局及び無線基地局を提供することができる。
【発明を実施するための最良の形態】
【００１７】
（本発明の第１の実施形態に係る移動通信システムの構成）
図１乃至図８を参照して、本発明の第１の実施形態に係る移動通信システムの構成について説明する。
【００１８】
図１に示すように、本実施形態に係る移動通信システムでは、無線基地局ｅＮＢが、複数の移動局ＵＥに対して、報知チャネルＢＣＣＨを介して、変更期間ＭＰ内において複数種類のシステム情報ＭＩＢ（Ｍａｓｔｅｒ  Ｉｎｆｏｒｍａｔｉｏｎ  Ｂｌｏｃｋ）、ＳＩＢ１-９を繰り返し送信するように構成されている。
【００１９】
図２に示すように、無線基地局ｅＮＢは、緊急情報受信部１１と、緊急情報送信部１２とを具備している。
【００２０】
緊急情報受信部１１は、緊急情報通知システムから送信された緊急情報を受信するように構成されている、すなわち、緊急情報の発生を検知するように構成されている。
【００２１】
緊急情報送信部１２は、複数の移動局ＵＥに対して、かかる報知チャネルＢＣＣＨを介して、緊急情報を送信するように構成されている。
【００２２】
具体的には、緊急情報送信部１２は、緊急情報受信部１１によって緊急情報が受信された場合、すなわち、緊急情報受信部１１によって緊急情報の発生が検知された場合に、複数の移動局ＵＥに対して、所定トリガを通知すると共に、次の変更期間ＭＰ（ｎ＋１）が開始するのを待つことなく、現在の変更期間ＭＰ（ｎ）において、緊急情報通知用システム情報（例えば、ＳＩＢ９）を送信するための下りリソースを指定するスケジューリング情報を通知するためのスケジューリング情報通知用システム情報（ＭＩＢ/ＳＩＢ１）を送信するように構成されている。
【００２３】
また、緊急情報送信部１２は、前記スケジューリング情報によって指定される下りリソースを用いて、緊急情報通知用システム情報（例えば、ＳＩＢ９）を送信するように構成されている。
【００２４】
図３に示すように、移動局ＵＥは、緊急情報受信部２１と、処理部２２とを具備している。
【００２５】
緊急情報受信部２１は、無線基地局ｅＮＢによって報知チャネルＢＣＣＨを介して送信された緊急情報を受信するように構成されている。
【００２６】
具体的には、緊急情報受信部２１は、図４に示すように、所定トリガを検出した場合に、次の変更期間ＭＰ（ｎ＋１）が開始するのを待つことなく、現在の変更期間ＭＰ（ｎ）において、スケジューリング情報通知用システム情報（ＭＩＢ/ＳＩＢ１）を受信するように構成されている。
【００２７】
また、緊急情報受信部２１は、受信したスケジューリング情報通知用システム情報（ＭＩＢ/ＳＩＢ１）によって通知されたスケジューリング情報に基づいて、緊急情報通知用システム情報（例えば、ＳＩＢ９）を受信するように構成されている。
【００２８】
なお、かかる場合、緊急情報受信部２１は、緊急情報通知用システム情報（例えば、ＳＩＢ９）以外のスケジューリング情報（ＳＩＢ２-８）を受信しないように構成されていてもよい。
【００２９】
ここで、移動局ＵＥが、待ち受け状態（Ｉｄｌｅ状態）若しくは通信状態である場合には、緊急情報受信部２１は、所定トリガとして、ページングメッセージに含まれている所定インディケータ（ＥＷＴＳ/ＰＷＳ  Ｉｎｄｉｃａｔｏｒ）を検出した場合に、次の変更期間ＭＰ（ｎ＋１）が開始するのを待つことなく、現在の変更期間ＭＰ（ｎ）において、スケジューリング情報通知用システム情報（ＭＩＢ/ＳＩＢ１）を受信するように構成されていてもよい。
【００３０】
図５に示すように、ページングメッセージは、Ｐ-ＲＮＴＩを含むＰＤＣＣＨ（Ｐｈｙｓｉｃａｌ  Ｄｏｗｎｌｉｎｋ  Ｃｏｎｔｒｏｌ  Ｃｈａｎｎｅｌ）に対応するＰＤＳＣＨ（Ｐｈｙｓｉｃａｌ  Ｄｏｗｎｌｉｎｋ  Ｓｈａｒｅｄ  Ｃｈａｎｎｅｌ）によって送信される。
【００３１】
例えば、所定インディケータ（ＥＷＴＳ/ＰＷＳ  Ｉｎｄｉｃａｔｏｒ）は、緊急情報の有無を通知するための１ビットのインディケータや、Ｐｒｉｍａｒｙ  Ｎｏｔｉｆｉｃａｔｉｏｎ（緊急情報を最初に通知する短い情報で、移動局で鳴動のため等に用いられる）である。
【００３２】
すなわち、無線基地局ｅＮＢの緊急情報送信部１２は、待ち受け状態（Ｉｄｌｅ状態）若しくは無線リンク確立状態（ＲＲＣ_Ｃｏｎｎｅｃｔｅｄ状態）である移動局ＵＥに対しては、所定トリガとして、ページングメッセージ内で所定インディケータ（ＥＷＴＳ/ＰＷＳ  Ｉｎｄｉｃａｔｏｒ）を送信するように構成されていてもよい。
【００３３】
また、移動局ＵＥが、待ち受け状態（Ｉｄｌｅ状態）若しくは通信状態である場合には、図６に示すように、緊急情報受信部２１は、所定トリガとして、Ｐ−ＲＮＴＩ（Ｐａｇｉｎｇ-ＲＮＴＩ）を含むＰＤＣＣＨ（物理下り制御チャネル）を介して所定インディケータ（ＥＷＴＳ/ＰＷＳ  Ｉｎｄｉｃａｔｏｒ）を検出した場合に、次の変更期間ＭＰ（ｎ＋１）が開始するのを待つことなく、現在の変更期間ＭＰ（ｎ）において、スケジューリング情報通知用システム情報（ＭＩＢ/ＳＩＢ１）を受信するように構成されていてもよい。
【００３４】
例えば、所定インディケータ（ＥＷＴＳ/ＰＷＳ  Ｉｎｄｉｃａｔｏｒ）は、緊急情報の有無を通知するための１ビットのインディケータや、Ｐｒｉｍａｒｙ  Ｎｏｔｉｆｉｃａｔｉｏｎ（緊急情報を最初に通知する短い情報で、移動局で鳴動のためなどに用いられる）である。
すなわち、無線基地局ｅＮＢの緊急情報送信部１２は、待ち受け状態（Ｉｄｌｅ状態）及び無線リンク確立状態（ＲＲＣ_Ｃｏｎｎｅｃｔｅｄ状態）である移動局ＵＥに対して、所定トリガとして、Ｐ-ＲＮＴＩ（Ｐａｇｉｎｇ-ＲＮＴＩ）を含むＰＤＣＣＨ（物理下り制御チャネル）を介して所定インディケータ（ＥＷＴＳ/ＰＷＳ  Ｉｎｄｉｃａｔｏｒ）を送信するように構成されていてもよい。
【００３５】
また、移動局ＵＥが、無線リンク確立状態（ＲＲＣ_Ｃｏｎｎｅｃｔｅｄ状態）或いは待ち受け状態（Ｉｄｌｅ状態）である場合には、図７に示すように、緊急情報受信部２１は、所定トリガとして、ＳＣ-ＲＮＴＩ（Ｓｙｓｔｅｍ  Ｃｈａｎｇｅ-ＲＮＴＩ、所定識別子）を含むＰＤＣＣＨ（物理下り制御チャネル）を介して所定インディケータ（ＥＷＴＳ/ＰＷＳ  Ｉｎｄｉｃａｔｏｒ）を検出した場合に、次の変更期間ＭＰ（ｎ＋１）が開始するのを待つことなく、現在の変更期間ＭＰ（ｎ）において、スケジューリング情報通知用システム情報（ＭＩＢ/ＳＩＢ１）を受信するように構成されていてもよい。
【００３６】
例えば、所定インディケータ（ＥＷＴＳ/ＰＷＳ  Ｉｎｄｉｃａｔｏｒ）は、緊急情報の有無を通知するための１ビットのインディケータや、Ｐｒｉｍａｒｙ  Ｎｏｔｉｆｉｃａｔｉｏｎ（緊急情報を最初に通知する短い情報で、移動局で鳴動のため等に用いられる）である。
【００３７】
すなわち、無線基地局ｅＮＢの緊急情報送信部１２は、待ち受け状態（Ｉｄｌｅ状態）及び無線リンク確立状態（ＲＲＣ_Ｃｏｎｎｅｃｔｅｄ状態）である移動局ＵＥに対して、所定トリガとして、ＳＣ-ＲＮＴＩ（Ｓｙｓｔｅｍ  Ｃｈａｎｇｅ-ＲＮＴＩ、所定識別子）を含むＰＤＣＣＨ（物理下り制御チャネル）を介して所定インディケータ（ＥＷＴＳ/ＰＷＳ  Ｉｎｄｉｃａｔｏｒ）を送信するように構成されていてもよい。
【００３８】
また、図８に示すように、緊急情報受信部２１は、所定トリガとして、ＥＴＷＳ/ＰＷＳ-ＲＮＴＩ（所定識別子）を含むＰＤＣＣＨ（物理下り制御チャネル）を検出した場合に、次の変更期間ＭＰ（ｎ＋１）が開始するのを待つことなく、現在の変更期間ＭＰ（ｎ）において、スケジューリング情報通知用システム情報（ＭＩＢ/ＳＩＢ１）を受信するように構成されていてもよい。
【００３９】
すなわち、無線基地局ｅＮＢの緊急情報送信部１２は、所定トリガとして、ＥＴＷＳ/ＰＷＳ-ＲＮＴＩ（所定識別子）を含むＰＤＣＣＨ（物理下り制御チャネル）を介して所定情報を送信するように構成されていてもよい。
【００４０】
処理部２２は、受信した緊急情報通知用システム情報（例えば、ＳＩＢ９）によって通知された緊急情報に対応する処理を行うように構成されている。
【００４１】
例えば、処理部２２は、緊急情報に対応する処理として、当該緊急情報に対応するアラームを出力してもよいし、当該緊急情報に対応する文字情報又は画像情報をディスプレイに表示してもよい。
【００４２】
（本発明の第１の実施形態に係る移動通信システムの動作）
図９を参照して、本発明の第１の実施形態に係る移動局の動作について説明する。
【００４３】
図９に示すように、ステップＳ１０１において、移動局ＵＥが、ＥＴＷＳ/ＰＷＳ-ＲＮＴＩを含むＰＤＣＣＨ、或いは、ＥＷＴＳ/ＰＷＳ  Ｉｎｄｉｃａｔｏｒを検出する。
【００４４】
ステップＳ１０２において、移動局ＵＥが、次の変更期間ＭＰ（ｎ＋１）が開始するのを待つことなく、現在の変更期間ＭＰ（ｎ）において、ＭＩＢ/ＳＩＢ１を受信する。
【００４５】
ステップＳ１０３において、受信したＭＩＢ/ＳＩＢ１によって通知されたスケジューリング情報に基づいてＳＩＢ９を受信し、ＳＩＢ９によって通知されている緊急情報に対応する処理（例えば、アラームやディスプレイ表示等）を行う。
【００４６】
（本発明の第１の実施形態に係る移動通信システムの作用・効果）
本発明の第１の実施形態に係る移動通信システムによれば、移動局ＵＥは、所定トリガを検出した場合に、次の変更期間ＭＰ（ｎ＋１）が開始するのを待つことなく、現在の変更期間ＭＰ（ｎ）において、ＭＩＢ/ＳＩＢ１を受信し、かかるＭＩＢ/ＳＩＢ１に基づいて、緊急情報を通知するＳＩＢ９を受信することができるため、発生した緊急情報を可及的速やかに複数の移動局ＵＥに対して通知することができる。
【００４７】
（変更例）
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００４８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００５０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００５１】
【図１】本発明の第１の実施形態に係る移動通信システムの全体構成図である。
【図２】本発明の第１の実施形態に係る無線基地局の機能ブロック図である。
【図３】本発明の第１の実施形態に係る移動局の機能ブロック図である。
【図４】本発明の第１の実施形態に係る無線基地局によってＢＣＣＨ上で送信される情報について説明するための図である。
【図５】本発明の第１の実施形態に係る無線基地局によって送信される「ＥＴＷＳ/ＰＷＳ  Ｉｎｄｉｃａｔｏｒ」の一例を示す図である。
【図６】本発明の第１の実施形態に係る無線基地局によって送信される「ＥＴＷＳ/ＰＷＳ  Ｉｎｄｉｃａｔｏｒ」の一例を示す図である。
【図７】本発明の第１の実施形態に係る無線基地局によって送信される「ＥＴＷＳ/ＰＷＳ  Ｉｎｄｉｃａｔｏｒ」を含むＰＤＣＣＨの一例を示す図である。
【図８】本発明の第１の実施形態に係る無線基地局によって送信される「ＥＴＷＳ/ＰＷＳ-ＲＮＴＩ」を含むＰＤＣＣＨの一例を示す図である。
【図９】本発明の第１の実施形態に係る移動局の動作を示すフローチャートである。
【符号の説明】
【００５２】
ｅＮＢ…無線基地局
１１、２１…緊急情報受信部
１２…緊急情報送信部
ＵＥ…移動局
２２…処理部
【要約】
【課題】緊急情報の発生を検知した場合に、できるだけ早く複数の移動局に対して送信する。
【解決手段】本発明に係る緊急情報通知方法は、移動局ＵＥが、所定トリガを検出した場合に、次の変更期間が開始するのを待つことなく、現在の変更期間において、スケジューリング情報通知用システム情報を受信する工程と、移動局ＵＥが、受信したスケジューリング情報通知用システム情報によって通知されたスケジューリング情報に基づいて、緊急情報通知用システム情報を受信する工程と、移動局ＵＥが、受信した緊急情報通知用システム情報によって通知された緊急情報に対応する処理を行う工程とを有する。
【選択図】図９【図１】
0004335953.tif 000002
【図２】
0004335953.tif 000003
【図３】
0004335953.tif 000004
【図４】
0004335953.tif 000005
【図５】
0004335953.tif 000006
【図６】
0004335953.tif 000007
【図７】
0004335953.tif 000008
【図８】
0004335953.tif 000009
【図９】
0004335953.tif 000010